(57)【要約】  【課題】直線区間、曲線区間を問わず設置することができ、かつ現場打ちコンクリートを必要とすることなく、確実かつ堅固な壁面を布設することができる壁面形成用コンクリートブロックを提供すること。  【解決手段】本発明の壁面形成用コンクリートブロック１００は、壁面を形成する壁面部１０を有し、この壁面部１０の両側端部又は一方の側端部を円弧状に設け、さらにこの側端部の上方の一部若しくは下方の一部に壁面側方に突出して設けられた突出部（２０ａまたは２０ｂ）を設けた。  【選択図】図１
2006225968.tif 000002
【特許請求の範囲】
【請求項１】
道路脇又は中央分離帯に壁面を形成するためのコンクリートブロックにおいて、
壁面の両端が円弧状に形成されてなる壁面部と、該壁面部の一方側端部に形成されてなる上方を側方に突出させた上側突出部と、該上側突出部と反対の他方側端部に形成さてなる下方を側方に突出させた下側突出部とを備えている壁面形成用コンクリートブロック。
【請求項２】
上側突出部と下側突出部とが同突出長であることを特徴とする請求項１に記載の壁面形成用コンクリートブロック。
【請求項３】
下側突出部の上面に円形凸状に形成された嵌合凸部と、上側突出部の下面に円形凹状に形成された嵌合凹部とを備えていることを特徴とする請求項２に記載の壁面形成用コンクリートブロック。
【請求項４】
下側突出部の上面に円形凹状に形成された嵌合凹部と、上側突出部の下面に円形凸状に形成された嵌合凸部とを備えていることを特徴とする請求項２に記載の壁面形成用コンクリートブロック。
【請求項５】
嵌合凹部及び嵌合凸部の中心にボルト又は鉄筋を通すためのボルト孔が形成されていることを特徴とする請求項３又は４に記載の壁面形成用コンクリートブロック。
【請求項６】
道路脇又は中央分離帯に壁面を形成するためのコンクリートブロックにおいて、
壁面の一方側端部が円弧状に形成されてなる壁面部と、前記一方側端部の上方の一部又は下方の一部を側方に突出形成させた上側突出部又は下側突出部とを備えていることを特徴とする壁面形成用コンクリートブロック。
【請求項７】
下側突出部の上面又は上側突出部の下面に、円形凸状に形成された嵌合凸部が設けられてなることを特徴とする請求項６に記載の壁面形成用コンクリートブロック。
【請求項８】
下側突出部の上面又は上側突出部の下面に、円形凹状に形成された嵌合凹部が設けられてなることを特徴とする請求項６に記載の壁面形成用コンクリートブロック。
【請求項９】
嵌合凸部又は嵌合凹部の中心にボルト又は鉄筋を通すためのボルト孔が形成されてなることを特徴とする請求項７又は８に記載の壁面形成用コンクリートブロック。
【請求項１０】
壁面部には、反対側を視認するため視認用孔を有することを特徴とする請求項１から９のいずれかに記載の壁面形成用コンクリートブロック。
【請求項１１】
壁面部の下方に、水平方向に延設された延設底板部が設けられてなることを特徴とする請求項１から１０のいずれかに記載の壁面形成用コンクリートブロック。
【発明の詳細な説明】
【技術分野】
【０００１】
本発明は、主として道路脇や中央分離帯に壁面を構築するためのプレキャスト型のコンクリートブロックに関する。
【背景技術】
【０００２】
従来、カーブを有する道路脇や中央分離帯に壁面を形成する場合においても直線の道路に用いられるブロックを用いて壁面を形成していた。本発明者は、擁壁を形成するブロックとして、図１７に示したブロックを提案している（特許文献１参照）。しかし、直線に用いられる壁面用のコンクリートブロックは、側壁面が壁面に対して垂直に設けられた外径が矩形のブロックである。従って、このような矩形のブロックをカーブした道路に設置すると図１８に示したようにブロック間に隙間が発生することになる。このブロックで構築した壁面は、モルタルやコンクリートを充填することによって隙間を埋めて壁面を形成する必要があった。よって作業効率が悪く設置に時間がかかり、コストが高いものとなっていた。
【０００３】
そこで、図１９のように壁面の側壁をカーブの曲率に合わせて削ることができるように、表面と裏面の壁面を側面に対して側方に突出させて側壁の中央を凹んだタイプのブロックとしたものもある（特許文献２）。このようにすれば、図２０のように側壁を容易に削ることができカーブに合わせてカーブにも対応することができる。しかし、このブロックにおいても現場において側壁の一部を削る必要があるため、前記と同様に作業効率が悪く設置に時間がかかり、コストも高いものとなっていた。
【特許文献１】意匠登録第１１９９０６３号公報
【特許文献２】特開２０００−３１９９１０号公報
【発明の開示】
【発明が解決しようとする課題】
【０００４】
そこで、本発明は以上のような問題点を鑑みてなされたものであり、直線区間、曲線区間を問わず設置することができ、かつ現場打ちコンクリートを必要とすることなく、確実かつ堅固な壁面を布設することができる壁面形成用コンクリートブロックを提供することにある。
【課題を解決するための手段】
【０００５】
以上のような課題を解決するために、本発明は、隣接した壁面形成用コンクリートブロック同士を自由な角度で設置できるような構成を採用している。本発明の壁面形成用コンクリートブロック１００は、壁面を形成する壁面部１０を有している。そして、この壁面部１０の両側端部又は片方の側端部を円弧状に設け、さらにこの側端部の上方の一部若しくは下方の一部に壁面側方に、突出して形成した突出部（２０ａまたは２０ｂ）を設けてある。一方の側端部のみに突出部を設けた壁面形成用コンクリートブロック１００（図１４、図１６参照）は、複数連結して配置される壁面形成用コンクリートブロック１００の端に設置されるものであり、両側端に突出部２０を設けたもの（図１、図１１参照）は、それ以外の部分、すなわち、端以外の中央に設置されるものである。両端に突出部２０を設けられる壁面形成用コンクリートブロックの突出部２０は、一方の側端部の突出部２０aを上方に設けた場合、他方の側端部の突出部２０ｂは下方に設けるという具合に両側端部の突出部２０ａ、２０ｂは上下別々となるように設けられる。片方のみに側端部のみ突出するタイプの壁面形成用コンクリートブロック２０は、上方の一部が突出するタイプと下方の一部が突出するタイプの双方がある。なお、壁面部１０の幅、高さ、厚さは特に限定するものではない。
【０００６】
このように形成された壁面形成用コンクリートブロック１００は、上方が突出した側端部側と、下方が突出した側端部側とを互いに係合させて連結させることができる。連結される各々の壁面形成用コンクリートブロック１００は、側端部が円弧状に設けられているので、隣接する２個の壁面形成用コンクリートブロック１００を任意の角度で連結配置することができる。従って、図４に示すように本発明の壁面形成用コンクリートブロック１００によれば、道路の直線部分、曲線部分を問わず、また、曲線部分のカーブの曲率を問わずに、壁面を構築することができる。
【０００７】
各壁面形成用コンクリートブロック１００の上側突出部２０ａと下側突出部２０ｂの突出長さαは、同一に設けることが望ましい。両側の突出部（２０ａ、２０ｂ）の突出長を同じ長さにすることで、突出部の円弧が他方の壁面形成用コンクリートブロック１００の円弧に接触し、図４のように、隙間なく設置することができるからである。
【０００８】
また、下側突出部２０ｂの上面２１ｂには、円形凸状に形成された嵌合凸部２２ｂを設け、他方上側突出部２０ａの下面２１ａに円形凹状に形成された嵌合凹部２２ａを設けれることができる。この構成を採用すれば壁面形成用コンクリートブロック１００を隣接配置したときに、嵌合凸部２２ｂを隣接する壁面形成用コンクリートブロック１００の嵌合凹部２２ａに嵌合させることができ、互いのブロック同士が外れるのを防止することができる。また、嵌合凸部２２ｂ及び嵌合凹部２２ａを円形とすることで隣接する壁面形成用コンクリートブロック１００をどのような角度でも嵌合配置させることができるとともに、嵌合した後であっても嵌合部を支点として回動させて連結部の角度を変更することができるようになる。すなわち、設置した後であっても容易に互いの角度を調整することができるのである。なお、嵌合凸部を上側突出部の上面に設け、嵌合凹部を下側突出部の上面に、すなわち、凹凸を逆に設けても構わない。
【０００９】
さらに、この嵌合凸部２２ｂ及び嵌合凹部２２ａには、その中心にボルトや鉄筋を通すためのボルト孔３０を設けることもできる。嵌合凸部２２ｂと嵌合凹部２２ａを嵌合させた後、連結されたブロック間を介するようにボルトや鉄筋を通すことによって、それぞれの隣接する壁面形成用コンクリートブロック１００を確実に固定することができる。ボルト孔３０は、嵌合凸部２２ｂ及び嵌合凹部２２ａの中心に設けることが好ましい。なぜなら、ボルトや鉄筋を通した状態からでも、回動中心にボルト孔３０があれば多少ボルトを緩めるだけで隣接する壁面形成用コンクリートブロック１００の角度を調整することができるからである。
【００１０】
さらに、壁面部１０には、反対側が視認することができるように視認用孔５０を設けることもできる。本発明の壁面形成用コンクリートブロック１００は、道路の脇や中央分離帯等に設置することが可能であるが、コンクリートの壁面が連続していると自動車の運転者にとって非常に圧迫感を感じることがある。そこで、視認用孔５０を壁面部１０に設けることにより、道路脇に設置された場合には周りの風景が視認用孔５０から視認できるようにし、中央分離帯に設置した場合には、反対車線の交通を視認することができるようにすることで、運転手に与える圧迫感を和らげることができるようになる。この壁面部１０に設けられる視認用孔５０の形状や大きさは限定するものではなく、単純に丸孔や角孔でも構わないし、模様状に設けても構わない。
【００１１】
さらに、壁面部１０の下方に、水平に延設された延設底板部４０を設けることもできる。この延設底板部４０は、壁面形成用コンクリートブロック１００を設置した場合に道路内に埋もれてしまう部分である。すなわち、壁面形成用コンクリートブロック１００本体に土砂等の載置される領域（延設板部）を設けることによって、土砂の重さによって壁面形成用コンクリートブロック１００を安定して固定させるために設けられたものである。延設底面部４０の大きさや形状は限定するものではなく、適宜使用場所に応じて決定される。例えば、急カーブに設置する場合に隣接する壁面形成用ブロックの延設部と接触しないように、側端部より内側に設けたり、先側端部が細くなるように設けたりしても構わない。このような延設底板部４０を設けた壁面形成用コンクリートブロック１００によれば、図４のように崖縁などのように背面側に道路がない場所であっても延設底板部４０に載置された土砂によって十分な安定が得られるため、壁面形成用コンクリートブロック１００が崖側に落下するのを防止でき、壁面を形成することができる（図５参照）。
【００１２】
また、延設底板部４０が設けられていれば、例えば交通事故などによって、自動車がコンクリート壁に衝突した場合であっても、衝突する際に自動車自らが延設底板部４０に載ることになり、自重によって壁面形成用コンクリートブロック１００の転倒や滑動を防止することができる。なお、この延設底板部４０は、片面側にのみ設けても、両側に設けてもよい（図１、図１１参照）。例えば、道路脇に設置する場合には、道路面側からの自動車の衝突しか考えられないので、道路面側にのみ延設底板部４０が設けられているものを用い、中央分離帯のように両側から自動車が衝突するおそれがある場合には、両側の下方に延設底板部４０が設けられたものを使用するとよい。
【発明の効果】
【００１３】
本発明に係る壁面形成用コンクリートブロックによれば、道路の直線部、曲線部、さらに曲線部のカーブの曲率に関わらず、上側突出部と下側突出部を係合するだけで隙間なく道路脇又は中央分離帯に壁面を構築することができるようになる。
【００１４】
また、その設置方法も単に上側突出部と下側突出部を係合するだけで、生コンクリートやモルタルで接合する必要はないため、工期も従来と比較して大幅に短縮することができるようになる。
【００１５】
さらに、上側突出部の下面及び下側突出部の上面に嵌合凸部及び嵌合凹部、又はその逆を設けることによって、上側突出部と下側突出部の係合時に嵌合して互いに水平方向にずれるのを確実に防止することができる。しかも、隣接された壁面形成用コンクリートブロック同士は自在に角度を変更することもできる。
【００１６】
さらに嵌合凹部及び嵌合凸部の中心にボルト又は鉄筋を通すためのボルト孔を形成し、ボルト孔にボルト等で互いのブロックを固定しておけば、水平方向に加え上下方向へのずれも防止することができるようになる。この状態においても、ボルトを若干緩めれば隣接された壁面形成用コンクリートブロック同士の角度は自在に変更することができる。
【００１７】
さらに、壁面部に視認用孔を設けることによって、壁面裏側の視認性がよくなり、運転者への圧迫感を和らげることができる。また、この孔の形状を工夫することによって、壁面に模様を設けることもできるようになる。
【００１８】
さらに、壁面部の下方に水平方向へ延びた延設底板部を設けることによって、この延設底板部に土砂が載置されることによって、壁面形成用コンクリートブロックを安定して設置することができるようになる。また、この壁面部に自動車が衝突しても壁面形成用コンクリートブロックが転倒したり、滑動したりするのを防止することができるようになる。
【発明を実施するための最良の形態】
【００１９】
本発明の壁面形成用コンクリートブロック１００の最良の形態について、図に示す実施例に従って詳細に説明する。
【実施例１】
【００２０】
図１、図２には、実施例１に係る壁面形成用コンクリートブロック１００の斜視図が示されている。実施例１における壁面形成用コンクリートブロック１００は、複数隣接配置して壁面を構築することができるように平板状の壁面部１０を備えている。
【００２１】
壁面部１０の両側端部は円弧状に形成されていて、両側端部のうち一方の側端部は、下方が上方と比較して突出して形成されている下側突出部２０ｂを備えており、下側突出部２０ｂ及び突出していない上方側端部の双方の側端部が半円状の円弧状に形成されている。他方の側端部は、上方が下方と比較して突出して形成されている上側突出部２０ａを備えていて、同様に上側突出部２０a及び突出していない下方側端部の双方の側端部が円弧状に形成されている。突出長さは、上側突出部２０ａと下側突出部２０ｂは、同様の突出長さに設けられていて、さらに隣接する壁面形成用ブロック１００が下記に説明する嵌合凸部と嵌合凹部とで係合した後、いかなる角度で設置しても壁面同士の間に隙間ができないような長さに調整されている。
【００２２】
下側突出部２０ｂの上面２１ｂには、円形に突出した嵌合凸部２２ｂが設けられており、上側突出部２０ａの下面２１ａには、円形に凹んだ嵌合凹部２２ａが設けられている。この嵌合凸部２２ｂと、隣接配置される壁面形成用コンクリートブロックの嵌合凹部２２ａとが嵌合することによって、隣接する壁面形成用コンクリートブロック１００同士は連結される。こうして連結された隣接する壁面形成用コンクリートブロック１００同士は嵌合凸部２２ｂ及び嵌合凹部２２ａを中心にして回動させることができる。
【００２３】
さらに、嵌合凸部２２ｂ及び嵌合凹部２２ａの両方の中心にはボルトを通すことができるボルト孔３０が設けられていて、ボルト孔３０には雌ねじが設けられている（図３参照、雌ねじは省略）。上側突出部側２０ａに設けられるボルト孔３０は貫通して設けられており、下側突出部２０ｂに設けられるボルト孔３０は途中まで孔が形成されている。従って、重ね合わせたときに上側突出部２０ａの上面からボルトを穿つことができる。
【００２４】
さらに、壁面部１０の下方には、水平方向に延設された延設底面部４０が設けられている。延設底面部４０は、延設部底板部側４０がカーブの内側に設置されるような場合においても延設部同士が接触しないように突出部２０ａ、２０ｂよりも内側に形成されている。延設板部４０を設けることで、道路内に設置した場合に延設底板部４０の上に土砂が載置され、この土砂の重さによって壁面形成用コンクリートブロック１００を安定させることができる。この実施例１の壁面形成用コンクリートブロック１００を用いれば、図４のように、片側が崖のようにブロックの片面を支持することができないような場所であっても、この延設底板部４０に載置された土砂によってブロックが固定されるため、安定した壁面を構築することができる。
【００２５】
以上のように作製された壁面形成用ブロック１００は、図４に示すように嵌合凸部２２ａと嵌合凹部２２ａを嵌合して互いに重ね合わせるように連結して設置される。この際に、道路のカーブ部分に設置する場合には、隣接する壁面形成用コンクリートブロック１００，１００を道路の曲率に応じて角度をつけて設置させる。この重ね合わせによる嵌合凸部３０ａと嵌合凹部２１ａの嵌合連結によって、互いに水平方向に離隔することを防止することができ、さらに、ボルト孔にボルトをねじ込むことによって完全に両ブロックを固定することができる。なお、この状態であってもボルトさえ緩めればブロック同士はボルト孔を中心にして互いに回動することができるので、任意に連結されたブロック同士の角度を修正することができる。その後、延設底面部４０を埋めるように整地して道路脇に壁面が形成される。
【実施例２】
【００２６】
図６には、実施例２に係る壁面形成用コンクリートブロック１００の正面図が示されている。この実施例２における壁面形成用コンクリートブロック１００は、壁面部１０に反対側が視認することができる視認用孔５０が設けられているものである。この視認用孔は、角が丸く形成された矩形に形成されているものである。その他の構成は、実施例１と同様である。この視認用孔５０の形状は、様々な形状が考えられる。他の形状の視認用孔５０を有する別実施例を図７から図１０に示しておく。勿論視認用孔の形状は特に限定するものではなく、適宜選択することができる
【実施例３】
【００２７】
図１１、１２には、実施例３に係る壁面形成用コンクリートブロック１００の斜視図が示されている。このコンクリートブロック１００は、底板延設部４０が壁面部１０の下方表裏面の両側に設けられているものである。それ以外の点は実施例１と同様であるので説明を省略する。
【００２８】
このように両側に底板延設部４０が設けられた壁面形成用コンクリートブロック１００は、図１３に示すように両側に土砂を載置することができるため、実施例１と比較してさらに安定した設置を行うことができる。また、両側に底面延設部４０を有する壁面形成用コンクリートブロック１００は、道路の中央分離帯に設置すると両側のいずれかからの自動車による衝突においても自動車自体が延設底板部４０に載ることによってブロックの転倒や滑動を防止することができ、効果的である。
【実施例４】
【００２９】
図１４には実施例４に係る壁面形成用コンクリートブロック１１０の斜視図が示されている。実施例４における壁面形成用コンクリートブロック１１０は、複数連結配置されて壁面を形成するブロックの端に設置されるタイプのものである。実施例４の壁面形成用コンクリートブロック１００は、一方の側端部のみ円弧状に形成されていて、この弧状に形成された側端部の下側が突出した下側突出部２０ｂが設けられている。下側突出部２０ｂの円弧の中心には、連結された隣接するコンクリートブロックと確実に結合するために、下側突出部２０ｂの上面にボルト孔を中心とした円形凸状に形成された嵌合凸部２２ｂが形成されていて、かつボルトを通すためのボルト孔３０が設けられている点は実施例１と同様である。よって、この壁面形成用コンクリートブロック１１０は、上側突出部２０ａが形成された壁面形成用コンクリートブロックと連結嵌合して、壁面部の端を形成することになる（図１５）。
【実施例５】
【００３０】
図１６は、実施例５に係る壁面形成用コンクリートブロック１２０の斜視図が示されている。これは連続して設置されるブロックの端に用いられるコンクリートブロックのうち、実施例３と反対側の端に設置されるものである。この壁面形成用コンクリートブロック１２０は、一方の長手方向側端部が、円弧状に形成されているとともに、実施例４と異なり上方が突出して形成される上側突出部２０ａを有している。ボルト孔３０を中心にして円形凹状に嵌合凹部が形成されていて、この上側突出部２０ａの中央にはボルトを通すためのボルト孔３０が貫通して形成されている点は実施例１と同様である。そして、この壁面形成用コンクリートブロック１００は、下側突出部２０ｂが形成された壁面形成用コンクリートブロックと連結嵌合して、壁面部の端を形成することになる。
【図面の簡単な説明】
【００３１】
【図１】実施例１に係る壁面形成用コンクリートブロックを表す斜視図である。
【図２】実施例１に係る壁面形成用コンクリートブロックの背面側を表す斜視図である。
【図３】実施例１に係る壁面形成用コンクリートブロックの断面図である。
【図４】実施例１に係る壁面形成用コンクリートブロックを崖面に設置した状態を示す斜視図である。
【図５】実施例１に係る壁面形成用コンクリートブロックを設置した状態を示す断面図である。
【図６】実施例２に係る壁面形成用コンクリートブロックの正面図である。
【図７】実施例２に係る壁面形成用コンクリートブロックの別実施例を示す正面図である。
【図８】実施例２に係る壁面形成用コンクリートブロックの別実施例を示す正面図である。
【図９】実施例２に係る壁面形成用コンクリートブロックの別実施例を示す正面図である。
【図１０】実施例２に係る壁面形成用コンクリートブロックの別実施例を示す正面図である。
【図１１】実施例３に係る壁面形成用コンクリートブロックを表す斜視図である。
【図１２】実施例３に係る壁面形成用コンクリートブロックの背面側を表す斜視図である。
【図１３】実施例３に係る壁面形成用コンクリートブロックを設置した状態を示す断面図である。
【図１４】実施例４に係る壁面形成用コンクリートブロックを表す斜視図である。
【図１５】実施例４に係る壁面形成用コンクリートブロックを設置した状態を示す断面図である。
【図１６】実施例５に係る壁面形成用コンクリートブロックを表す斜視図である。
【図１７】従来の壁面形成用コンクリートブロックを表す斜視図である。
【図１８】従来の壁面形成用コンクリートブロック同士の結合部を示す模式図である。
【図１９】従来の壁面形成用ブロックの別例を示す斜視図である。
【図２０】従来の別例の壁面形成用ブロック同士の結合部を示す模式図である
【符号の説明】
【００３２】
１００          壁面形成用コンクリートブロック
１０            壁面部
２０ａ          上側突出部
２０ｂ          下側突出部
２１ｂ          下側突出部の上面
２１ａ          上側突出部の下面
２２ａ          嵌合凹部
２２ｂ          嵌合凸部
４０            延設底面部
５０            視認用孔
【図１】
2006225968.tif 000003
【図２】
2006225968.tif 000004
【図３】
2006225968.tif 000005
【図４】
2006225968.tif 000006
【図５】
2006225968.tif 000007
【図６】
2006225968.tif 000008
【図７】
2006225968.tif 000009
【図８】
2006225968.tif 000010
【図９】
2006225968.tif 000011
【図１０】
2006225968.tif 000012
【図１１】
2006225968.tif 000013
【図１２】
2006225968.tif 000014
【図１３】
2006225968.tif 000015
【図１４】
2006225968.tif 000016
【図１５】
2006225968.tif 000017
【図１６】
2006225968.tif 000018
【図１７】
2006225968.tif 000019
【図１８】
2006225968.tif 000020
【図１９】
2006225968.tif 000021
【図２０】
2006225968.tif 000022